(57)【要約】【課題】ネットオークションにて購入希望者がある出品物を購入する際に、購入希望者がその良否および適正価格を適切に判断することができるようにする。【解決手段】落札者であるユーザに使用契約期間継続して使用させる商品または役務の使用契約期間毎の使用料を出品物として競売するネットオークションにおいて、当該出品物の各回の競売における落札額および落札者を落札情報記憶部１０６に記憶しておくようにする。そして、当該出品物の今回の競売にて、情報出力部１２０は、当該出品物の過去の落札額の実績を示す客観性、信頼性が十分に高い落札額実績情報を出力するようにしている。これにより、購入希望者が、ある出品物を購入する際に、落札額実績情報を参照し、その良否およびその適正価格を適切に判断することができるようにしている。【選択図】        図２
2009211380.tif 000002
【特許請求の範囲】
【請求項１】
落札者であるユーザに使用契約期間継続して使用させる商品又は役務であって上記使用契約期間内におけるユーザ数を制限している商品又は役務の上記使用契約期間毎の使用料を競売するネットオークションを実施するネットオークション実施サーバであって、
上記商品又は上記役務に係る今回の上記使用契約期間に対する上記使用料の競売における購入希望額の入力を上記競売の参加者から受け付ける入力欄を出力するとともに、上記商品又は上記役務に関する情報を出力する情報出力部と、
上記情報出力部により出力された上記入力欄を介して上記購入希望額の入力を受け付ける希望額受付部と、
上記使用契約期間を識別する識別情報と上記希望額受付部によって受け付けられた上記購入希望額と上記購入希望額の入力者を識別する識別情報とを対応付けて、参加情報として記憶する参加情報記憶部と、
上記商品又は上記役務に係る今回の上記使用契約期間に対する上記使用料の上記競売における１以上の落札額および上記落札者を決定する落札部と、
上記使用契約期間を識別する識別情報と上記落札部によって決定された上記落札額と上記落札者を識別する識別情報とを対応付けて、落札情報として記憶する落札情報記憶部とを備え、
上記情報出力部は、上記商品又は上記役務に関する情報として、上記落札情報記憶部に記憶されている過去の上記使用契約期間の上記落札情報を参照し、過去の上記競売における上記落札額の実績を示す落札額実績情報を出力することを特徴とするネットオークション実施サーバ。
【請求項２】
上記情報出力部は、上記落札額実績情報に代えて又は加えて、上記参加情報記憶部に記憶されている過去の上記使用契約期間の上記参加情報を参照し、過去の競売における参加の実績を示す参加実績情報、上記過去の競売における上記購入希望額の実績を示す購入希望額実績情報を出力することを特徴とする請求項１に記載のネットオークション実施サーバ。
【請求項３】
上記情報出力部は、上記落札額実績情報に代えて又は加えて、上記落札情報記憶部に記憶されている過去の上記使用契約期間の上記落札情報を参照し、上記商品又は上記役務の契約期間の実績を示す契約期間実績情報、上記商品又は上記役務の上記契約期間が所定の長さ以上のユーザ数である長期契約ユーザの実績を示す長期契約実績情報、又は、上記商品又は上記役務の上記使用契約の継続使用の実績を示す継続実績情報を出力することを特徴とする請求項１に記載のネットオークション実施サーバ。
【請求項４】
上記落札情報記憶部に記憶されている過去の上記使用契約期間の上記落札情報を参照し、過去の上記競売における上記落札額に基づいて今回の上記競売における希望最低落札額を算出する希望最低落札額算出部を更に備え、
上記情報出力部は、上記落札額実績情報に加えて、上記希望最低落札額算出部によって算出された上記希望最低落札額を出力し、
上記落札部は、上記希望最低落札額算出部によって算出された上記希望最低落札額以上の上記落札額を決定することを特徴とする請求項１に記載のネットオークション実施サーバ。
【請求項５】
上記商品は、プログラムであることを特徴とする請求項１から請求項４の何れかに記載のネットオークション実施サーバ。
【請求項６】
上記役務は、ＡＳＰ（Ａｐｐｌｉｃａｔｉｏｎ  Ｓｅｒｖｉｃｅ  Ｐｒｏｖｉｄｅｒ）によって提供される役務であることを特徴とする請求項１から請求項４の何れかに記載のネットオークション実施サーバ。
【請求項７】
落札者であるユーザに使用契約期間継続して使用させる商品又は役務であって上記使用契約期間内におけるユーザ数を制限している商品又は役務の上記使用契約期間毎の使用料の競売における落札額を制御するとともに、上記競売の参加者に上記商品又は上記役務に関する情報を提供するネットオークション支援サーバであって、
上記使用契約期間を識別する識別情報と上記使用契約期間に対する落札額と上記落札者を識別する識別情報とを対応付けて、落札情報として記憶する落札情報記憶部と、
上記落札情報記憶部に記憶されている過去の上記使用契約期間の上記落札情報を参照し、過去の上記競売における上記落札額に基づいて今回の上記競売における希望最低落札額を算出する希望最低落札額算出部と、
上記希望最低落札額算出部によって算出された上記希望最低落札額を出力するとともに、上記落札情報記憶部に記憶されている過去の上記使用契約期間の上記落札情報を参照し、過去の上記競売における上記落札額の実績を示す落札額実績情報を出力する情報出力部とを備えることを特徴とするネットオークション支援サーバ。
【請求項８】
落札者であるユーザに使用契約期間継続して使用させる商品又は役務であって上記使用契約期間内におけるユーザ数を制限している商品又は役務の上記使用契約期間毎の使用料を競売するネットオークションを実施するネットオークション実施方法であって、
上記商品又は上記役務に係る今回の上記使用契約期間に対する上記使用料の競売における購入希望額の入力を上記競売の参加者から受け付ける入力欄を出力するとともに、上記商品又は上記役務に関する情報を出力する情報出力ステップと、
上記情報出力ステップにより出力された上記入力欄を介して上記購入希望額の入力を受け付ける希望額受付ステップと、
上記使用契約期間を識別する識別情報と上記希望額受付ステップによって受け付けられた上記購入希望額と上記購入希望額の入力者を識別する識別情報とを対応付けて、参加情報として参加情報記憶部に記憶する参加情報記憶ステップと、
上記商品又は上記役務に係る今回の上記使用契約期間内に対する上記使用料の上記競売における１以上の落札額および上記落札者を決定する落札ステップと、
上記使用契約期間を識別する識別情報と上記落札ステップによって決定された上記落札額と上記落札者を識別する識別情報とを対応付けて、落札情報として落札情報記憶部に記憶する落札情報記憶ステップとを備え、
上記情報出力ステップは、上記商品又は上記役務に関する情報として、上記落札情報記憶部に記憶されている過去の上記落札情報を参照し、過去の上記競売における上記落札額の実績を示す落札額実績情報を出力することを特徴とするネットオークション実施方法。
【発明の詳細な説明】
【技術分野】
【０００１】
本発明は、ネットオークション実施サーバ、ネットオークション支援サーバおよびネットオークション実施方法に関し、特に、落札者であるユーザに継続して使用させる商品又は役務の使用料を競売するネットオークションに用いて好適なものである。
【背景技術】
【０００２】
今日、電子メール、ウェブサイトの閲覧などインターネットは生活の中に広く浸透している。近年、商品などを出品して売買する場としてネットオークションも浸透しつつある。ネットオークションは、ＣｔｏＣ（Ｃｏｎｓｕｍｅｒ  ｔｏ  Ｃｏｎｓｕｍｅｒ）型、ＢｔｏＣ（ｂｕｓｉｎｅｓｓ  ｔｏ  Ｃｏｎｓｕｍｅｒ）型など種々の態様が存在する。
【０００３】
浸透しつつあるネットオークションであるが、一方で、出品物を巡るトラブルも少なくない。出品物を巡るトラブルに対処するため、購入希望者が出品物を購入する際に、購入希望者が当該出品物の良否およびその適正価格を判断するための情報（以下、「購入時判断情報」という。）を開示する方策が講じられている。例えば、ＢｔｏＣ型のネットオークションにおいては、出品者（事業者）の出品物（取扱商品）に係る評価結果を購入時判断情報として開示する方策が講じられている（例えば、特許文献１参照）。
【特許文献１】特開２００３−０８５４０７号公報
【発明の開示】
【発明が解決しようとする課題】
【０００４】
しかしながら、購入予定者に開示される購入時判断情報自体の客観性、信頼性が必ずしも十分に高いとはいえない状況にある。例えば、特許文献１に記載の評価結果（購入時判断情報）は、出品物の売買と無関係な第三者であるモニタ会員によって評価されたものではあるが、他意があるモニタ会員が評価するような場合（例えば、モニタ会員が販売者側と結託しているような場合）、評価結果の客観性、信頼性は極めて低いものであると言わざるを得ない。また、例えモニタ会員に他意がなくとも、人間による評価に恣意的な要素がある以上、評価結果の客観性、信頼性が必ずしも十分に高いとはいえない。従って、購入希望者が、出品物を購入する際に、購入時判断情報を参照したとしても、出品物の良否およびその適正価格を適切に判断することができないという問題がある。
【０００５】
本発明は、このような問題を解決するために成されたものである。すなわち、ネットオークションにて購入希望者がある出品物を購入する際に、購入希望者が当該出品物の良否およびその適正価格を適切に判断することができるようにすることを目的とする。
【課題を解決するための手段】
【０００６】
上記した課題を解決するために、本発明では、落札者であるユーザに使用契約期間継続して使用させる商品又は役務の使用契約期間毎の使用料を出品物として競売するネットオークションにおいて、当該出品物の各回の競売における落札額および落札者を記憶しておくようにする。そして、当該出品物の今回の競売において、当該出品物の購入希望者に、当該出品物の過去の落札額の実績を示す落札額実績情報を購入時判断情報として出力するようにしている。
【０００７】
更に、当該出品物の今回の競売において、当該出品物の購入希望者に、落札額実績情報に代えて又は加えて、当該出品物の過去の競売における参加の実績を示す参加実績情報、又は、当該出品物の過去の購入希望額の実績を示す購入希望額実績情報を購入時判断情報として出力するようにすることもできる。
【０００８】
更に、当該出品物の今回の競売において、当該出品物の購入希望者に、落札額実績情報に代えて又は加えて、当該出品物の契約期間の実績を示す契約期間実績情報、当該出品物の長期契約ユーザの実績を示す長期契約実績情報、又は、継続使用の実績を示す継続実績情報を購入時判断情報として出力するようにすることもできる。
【発明の効果】
【０００９】
上記のように構成した本発明によれば、購入希望者は、ある出品物を購入する際に、客観性、信頼性が十分に高い購入時判断情報である落札額実績情報を参照することができる。落札額実績情報は、評価者の他意、評価者の恣意的な要素が紛れ込む可能性を極力排除した購入時判断情報であって、市場原理のみで決定する事実（落札額）に基づく購入時判断情報であるから、客観性、信頼性が十分に高い。
【００１０】
つまり、ある出品物の落札額は、ユーザによる当該出品物に対する満足／不満足によって変動する（当該出品物が多数のユーザから満足を得られていれば、満足したユーザの多くが当該出品物の次回の継続使用を検討するため落札額が高騰する一方、当該出品物が多数のユーザから満足を得られていなければ、逆に下落する）からである。従って、購入希望者は、ある出品物を購入する際に、客観性、信頼性が十分に高い購入時判断情報（落札額実績情報）を参照することによって、当該出品物の良否およびその適正価格を適切に判断することができるようになる。
【００１１】
また、購入希望者は、ある出品物を購入する際に、落札額実績情報に代えて又は加えて、参加実績情報又は購入希望額実績情報を参照することができる。参加実績情報および購入希望額実績情報は、落札額実績情報と同様、客観性、信頼性が十分に高い購入時判断情報である。
【００１２】
つまり、ユーザから満足を得られている出品物は、競売への参加者数が多いが、ユーザから満足を得られていない出品物は、参加者数が少ないからである。また、ある出品物の購入希望額は、落札額と同様、ユーザによる当該出品物に対する満足／不満足によって変動するからである。従って、購入希望者は、ある出品物を購入する際に、客観性、信頼性が十分に高い購入時判断情報（参加実績情報又は購入希望額実績情報）を参照することによって、当該出品物の良否およびその適正価格を適切に判断することができるようになる。
【００１３】
また、購入希望者は、ある出品物を購入する際に、落札額実績情報に代えて又は加えて、契約期間実績情報、長期契約実績情報又は継続実績情報を参照することができる。契約期間実績情報、長期契約実績情報および継続実績情報は、落札額実績情報と同様、客観性、信頼性が十分に高い購入時判断情報である。
【００１４】
つまり、ユーザから満足を得られている出品物は、契約期間が長く、長期契約ユーザ数が多く、使用契約を継続するユーザ数が多いが、ユーザから満足を得られていない出品物は、契約期間が短く、長期契約ユーザ数が少なく、使用契約を継続するユーザ数が少ないからである。従って、購入希望者は、ある出品物を購入する際に、客観性、信頼性が十分に高い購入時判断情報（契約期間実績情報、長期契約実績情報又は継続実績情報）を参照することによって、当該出品物の良否およびその適正価格を適切に判断することができるようになる。
【発明を実施するための最良の形態】
【００１５】
以下、本発明の一実施形態を図面に基づいて説明する。図１は、本実施形態によるネットオークション実施サーバ１０を用いたネットオークションシステム１の全体構成例を示す図である。図１に示すように、ネットオークションシステム１は、ネットオークションを実施するネットオークション実施サーバ１０と、ネットワーク５０を介してネットオークション実施サーバに接続する端末４０とから構成される。ネットワーク５０の一例は、インターネットである。
【００１６】
ネットオークション実施サーバ１０は、使用契約期間内におけるユーザ数を制限（以下、使用契約期間内における制限されたユーザ数を「ユーザ制限数」という）している商品又は役務の使用契約期間の使用料を出品物として競売するネットオークションを実施する。つまり、一の商品又は役務の一の使用契約期間内における使用料を落札した落札者は、当該商品又は役務のユーザとして当該商品又は役務を当該使用契約期間継続して使用することができる。
【００１７】
ネットオークション実施サーバ１０によって競売される出品物（商品又は役務の使用料）は、購入時にその良否および適正価格を適切に判断することが一般に困難であるものとして知られているものが好適である。購入時にその良否および適正価格を適切に判断することが一般に困難であるものとして知られている出品物であっても、ネットオークション実施サーバ１０によって実施されるオークションにおいては、購入時にその良否および適正価格を適切に判断できるからである。従って、ネットオークション実施サーバ１０によって競売される出品物としては、限定販売のソフトウェア、または、ＡＳＰ（Ａｐｐｌｉｃａｔｉｏｎ  Ｓｅｒｖｉｃｅ  Ｐｒｏｖｉｄｅｒ）によって数を限定して提供されるサービスなどが好ましい。例えば、ＦＸ（ｆｏｒｅｉｇｎ  ｅｘｃｈａｎｇｅ）関連のソフトウェア、サービスなどが好適である。
【００１８】
図２は、本実施形態によるネットオークション実施サーバ１０の機能構成例を示すブロック図である。図３は、競売基礎情報記憶部１００に記憶されている情報の一例を示す図である。図４は、メニュー画面、落札額等実績情報画面、契約期間等実績情報画面の一例を示す図である。図５は、落札画面の一例を示す図である。図６は、参加情報記憶部１０４および落札情報記憶部１０６に記憶されている情報の一例を示す図である。図７は、希望最低落札額情報記憶部１０８に記憶されている情報の一例を示す図である。図８は、落札額等実績情報画面の一例を示す図である。図９は、落札額実績情報、参加実績情報、購入希望額実績情報を算出する動作を説明するための図である。図１０は、契約期間等実績情報画面の一例を示す図である。図１１は、契約期間実績情報、長期契約実績情報、継続実績情報を算出する動作を説明するための図である。図１２は、落札部１４０による落札額、落札者を決定する動作を説明するための図である。
【００１９】
ネットオークション実施サーバ１０は、図２に示すように、競売基礎情報記憶部１００、画面記憶部１０２、参加情報記憶部１０４、落札情報記憶部１０６、希望最低落札額情報記憶部１０８、情報出力部１２０、入力受付部１３０（本発明の希望額受付部の機能を包含する）、落札部１４０および希望最低落札額算出部１５０を備える。
【００２０】
競売基礎情報記憶部１００は、競売開催情報と出品物基礎情報とからなる競売基礎情報を記憶する。具体的には、競売基礎情報記憶部１００は、各競売を識別す識別情報（以下、「競売ＩＤ」という）と出品物に係る商品又は役務を識別する識別情報（以下、「出品物ＩＤ」という。）と使用契約期間（使用契約の時期）を識別する識別情報（以下、「期間ＩＤ」という。）と競売の実施期間（以下、「競売期間」という）とを対応付けて、競売開催情報として記憶する。図３（ａ）に示す例において、競売基礎情報記憶部１００は、競売ＩＤ「Ａ００１」に対応付けて出品物ＩＤ「Ｂ００１」、期間ＩＤ「Ｃ０８０３」、競売期間「２００８年１月１５日〜２００８年２月１４日」を記憶している。
【００２１】
また、競売基礎情報記憶部１００は、出品物ＩＤと出品物名称と使用契約期間（契約の単位となる期間）とユーザ制限数と概要説明情報とを対応付けて、出品物基礎情報として記憶する。図３（ｂ）に示す例において、競売基礎情報記憶部１００は、出品物ＩＤ「Ｂ００１」に対応付けて出品物名称「自動ＦＸサービス甲」、使用契約期間「１ヶ月」、ユーザ制限数「２００人」および概要説明情報「自動ＦＸサービス甲は、・・・。」を記憶している。
【００２２】
画面記憶部１０２は、情報出力部１２０が出力するメニュー画面、落札画面、落札額等実績情報出力画面、契約期間等実績情報出力画面などを記憶する。メニュー画面は、ネットオークション実施サーバ１０が実施するオークションに関する初期画面である。メニュー画面は、図４（ａ）に示すように、オークションへの参加者である個人を識別する識別情報（以下、個人を識別する情報を「個人ＩＤ」という。）の入力を受け付ける入力欄４００、および、各出品物の競売に関する落札画面へのリンク情報を一覧出力する出力欄４１０を有する。
【００２３】
落札画面は、各出品物の競売を実施する入出力画面である。落札画面は、図５に示すように、オークションへの参加者を識別する個人ＩＤを出力する出力欄５０２、出品物ＩＤを出力する出力欄５０４、出品物名称を出力する出力欄５０６、期間ＩＤを出力する出力欄５０８、出品物の概要説明を出力する出力欄５１０、ユーザ制限数を出力する出力欄５１２、今回の販売数を出力する出力欄５１４、現時点の限界落札希望額（その後に希望購入額の入力がなかったならば現時点で落札できる最低の購入希望額）を出力する出力欄５１６、希望最低落札額（出品者によって設定される落札可能な最低額）を出力する出力欄５１８、競売期間を出力する出力欄５２０、購入希望額の入力を受け付ける入力欄５２２、購入希望額を決定（送信）する旨の要求を受け付ける決定ボタン５２４、落札額実績情報、参加実績情報および購入希望額実績情報を出力する旨の要求を受け付ける落札額等実績情報出力ボタン５２６、および、契約期間実績情報、長期契約実績情報および継続実績情報を出力する旨の要求を受け付ける契約期間等実績情報出力ボタン５２８を有する。落札額等実績情報出力ボタン５２６および契約期間等実績情報出力ボタン５２８は、落札額等実績情報出力画面および契約期間等実績情報出力画面へのリンクが設定されている。
【００２４】
落札額等実績情報出力画面は、図４（ｂ）に示すように、出品物名称を出力する出力欄６１０、および、落札額実績情報、参加実績情報、購入希望額実績情報を出力する出力欄６２０を有する（出力例については後述する）。契約期間等実績情報出力画面は、図４（ｃ）に示すように、出品物名称を出力する出力欄６１２、および、契約期間実績情報、長期契約実績情報および継続実績情報を出力する出力欄６２２を有する（出力例については後述する）。
【００２５】
参加情報記憶部１０４は、出品物ＩＤと期間ＩＤと購入希望額と購入希望額の入力者を識別する個人ＩＤとを対応付けて、参加情報として記憶する。図６（ａ）に示す例において、参加情報記憶部１０４は、出品物ＩＤ「Ｂ００１」および期間ＩＤ「Ｃ０８０３」に対応付けて購入希望額「５０，０００円」および個人ＩＤ「Ｄ００１」などを記憶している（例えば、期間ＩＤ「Ｃ０８０３」は現在実施中の競売、期間ＩＤ「Ｃ０８０２」「Ｃ０８０１」は過去に実施した競売）。なお、参加情報記憶部１０４に参加情報が記憶される動作については後述する。
【００２６】
落札情報記憶部１０６は、出品物ＩＤと期間ＩＤと落札額と落札者の個人ＩＤとを対応付けて、落札情報として記憶する。図６（ｂ）に示す例において、落札情報記憶部１０６は、出品物ＩＤ「Ｂ００１」および期間ＩＤ「Ｃ０８０２」に対応付けて落札額「５１，０００円」および個人ＩＤ「Ｄ００６」などを記憶している（例えば、期間ＩＤ「Ｃ０８０２」「Ｃ０８０１」は過去に実施した競売）。なお、落札情報記憶部１０６に落札情報が記憶される動作については後述する。
【００２７】
希望最低落札額情報記憶部１０８は、出品物ＩＤと期間ＩＤと希望最低落札額とを対応付けて、希望最低落札額情報として記憶する。図７に示す例において、希望最低落札額情報記憶部１０８は、出品物ＩＤ「Ｂ００１」および期間ＩＤ「Ｃ０８０２」に対応付けて希望最低落札額「２４，０００円」（２００８年２月の競売に基づいて算出され、２００８年３月の競売において適用される希望最低落札額）を記憶している。
【００２８】
希望最低落札額算出部１５０は、落札情報記憶部１０６に記憶されている前回の使用契約期間の落札情報を参照し、過去の競売における落札額に基づいて今回の競売における希望最低落札額を算出する。例えば、希望最低落札額算出部１５０は、ある出品物の前回（期間ＩＤ「Ｃ０８０２」）の落札額の平均値（以下、「平均落札額」という）の７５％の額を当該出品物の今回（期間ＩＤ「Ｃ０８０３」）の希望最低落札額として算出する。
【００２９】
また、希望最低落札額算出部１５０は、落札情報記憶部１０６に記憶されている過去数回の使用契約期間の落札情報を参照し、過去数回の競売における落札額に基づいて今回の競売における希望最低落札額を算出してもよい。例えば、希望最低落札額算出部１５０は、ある出品物の過去２回（期間ＩＤ「Ｃ０８０１」「Ｃ０８０２」）の落札額のうち最小額を当該出品物の今回（期間ＩＤ「Ｃ０８０３」）の希望最低落札額として算出する。なお、以上は、単なる一例であって、算出方法はこれに限定されない。示した数値も一例に過ぎない。
【００３０】
希望最低落札額算出部１５０は、ある商品又は役務に係る今回の使用契約期間の希望最低落札額を算出した場合には、当該商品又は役務を識別する出品物ＩＤおよび期間ＩＤに対応付けて、希望最低落札額を希望最低落札額情報として希望最低落札額算出部１５０に記憶する。
【００３１】
入力受付部１３０は、端末４０からアクセスを受け付ける。入力受付部１３０は、端末４０からアクセスを受け付けた場合には、アクセスを受け付けた旨を情報出力部１２０に通知する。なお、アクセスを受け付けた旨を通知された情報出力部１２０は、メニュー画面を端末４０に出力する。これについては後述する。
【００３２】
また、入力受付部１３０は、メニュー画面の入力欄４００を介して個人ＩＤの入力を受け付ける。入力受付部１３０は、個人ＩＤの入力を受け付けた場合には、個人ＩＤの入力を受け付けた旨を情報出力部１２０に通知する。なお、個人ＩＤの入力を受け付けた旨を通知された情報出力部１２０は、リンク情報をメニュー画面の出力欄４１０に一覧出力する。これについては後述する。
【００３３】
また、入力受付部１３０は、メニュー画面の出力欄４１０に出力されたリンクが押下された旨を端末４０から受け付ける。入力受付部１３０は、リンクが押下された旨を端末４０から受け付けた場合には、リンクが押下された旨を情報出力部１２０に通知する。なお、リンクが押下された旨を通知された情報出力部１２０は、落札画面を端末４０に出力する。これについては後述する。
【００３４】
また、入力受付部１３０は、落札画面の落札額等実績情報出力ボタン５２６が押下された旨を端末４０から受け付ける。入力受付部１３０は、落札額等実績情報出力ボタン５２６が押下された旨を端末４０から受け付けた場合には、落札額等実績情報出力ボタン５２６が押下された旨を情報出力部１２０に通知する。なお、落札額等実績情報出力ボタン５２６が押下された旨を通知された情報出力部１２０は、落札額等実績情報出力画面を端末４０に出力する。これについては後述する。
【００３５】
また、入力受付部１３０は、落札画面の契約期間等実績情報出力ボタン５２８が押下された旨を端末４０から受け付ける。入力受付部１３０は、契約期間等実績情報出力ボタン５２８が押下された旨を端末４０から受け付けた場合には、契約期間等実績情報出力ボタン５２８が押下された旨を情報出力部１２０に通知する。なお、契約期間等実績情報出力ボタン５２８が押下された旨を通知された情報出力部１２０は、契約期間等実績情報出力画面を端末４０に出力する。これについては後述する。
【００３６】
また、入力受付部１３０は、落札画面の入力欄５２２を介して購入希望額の入力を受け付ける。入力受付部１３０は、限界落札希望額を超える購入希望額の入力を受け付けた場合には、落札画面の出力欄５０４に出力されている出品物ＩＤおよび出力欄５０８に出力されている期間ＩＤに対応付けて、入力欄５２２に入力された購入希望額および出力欄５０２に出力されている個人ＩＤを、参加情報として参加情報記憶部１０４に記憶する。なお、入力受付部１３０は、限界落札希望額以下の購入希望額の入力を受け付けた場合には、無視（例えば入力エラー）とする。
【００３７】
情報出力部１２０は、端末４０からのアクセスを受け付けた旨を入力受付部１３０から通知された場合、つまり端末４０からアクセスがあった場合、画面記憶部１０２からメニュー画面を読み出して端末４０に出力する。情報出力部１２０は、個人ＩＤの入力を受け付けた旨を入力受付部１３０から通知された場合、つまり個人ＩＤの入力があった場合、競売基礎情報記憶部１００に記憶されている競売基礎情報を参照して、各出品物の競売に関する落札画面へのリンク情報を生成して、メニュー画面の出力欄４１０に一覧出力する。
【００３８】
情報出力部１２０は、リンクが押下された旨を入力受付部１３０から通知された場合、つまりリンクの押下があった場合、画面記憶部１０２から落札画面を読み出して端末４０に出力する。ここで、情報出力部１２０は、個人ＩＤ、出品物ＩＤ、出品物名称、期間ＩＤ、出品物の概要説明、ユーザ制限数、今回の販売数、現時点の限界落札希望額、希望最低落札額および競売期間を落札画面の各出力欄に出力する。
【００３９】
具体的には、情報出力部１２０は、メニュー画面にて入力された個人ＩＤを出力欄５０２に出力する。情報出力部１２０は、競売基礎情報記憶部１００に記憶されている競売基礎情報を参照して、該当する出品物の出品物ＩＤ、出品物名称、期間ＩＤ、概要説明、ユーザ制限数および競売期間を出力欄５０４、５０６、５０８、５１０、５１２、５２０に出力する。
【００４０】
情報出力部１２０は、今回の販売数を算出（取得）して出力欄５１４に出力する。なお、情報出力部１２０は、競売基礎情報記憶部１００に記憶されている当該商品又は役務に係るユーザ制限数と現ユーザ数とに基づいて今回の販売数を算出する。また、情報出力部１２０は、落札情報記憶部１０６に記憶されている落札情報から現ユーザ数を取得する。
【００４１】
情報出力部１２０は、今回の販売数と参加情報記憶部１０４に記憶されている参加情報とに基づいて、現時点の限界落札希望額を算出して出力欄５１６に出力する。また、情報出力部１２０は、希望最低落札額情報記憶部１０８に記憶されている希望最低落札額情報を出力欄５１８に出力する。
【００４２】
また、情報出力部１２０は、落札額等実績情報出力ボタン５２６が押下された旨を入力受付部１３０から通知された場合、つまり落札額等実績情報出力ボタン５２６が押下された場合、画面記憶部１０２から落札額等実績情報出力画面を読み出して端末４０に出力する。ここで、情報出力部１２０は、出品物名称を落札額等実績情報出力画面の出力欄６１０に出力し、落札額実績情報、参加実績情報および購入希望額実績情報を出力欄６２０に出力する。
【００４３】
例えば、情報出力部１２０は、落札情報記憶部１０６に記憶されている過去の使用契約期間の落札情報を参照し、図８に示すように、当該出品物に係る過去の各競売における平均落札額の推移を示す落札額実績情報を出力欄６２０に出力する。また、情報出力部１２０は、参加情報記憶部１０４に記憶されている過去の使用契約期間の参加情報を参照し、当該出品物に係る過去の各競売における参加者数の推移を示す参加実績情報、および、当該出品物に係る過去の各競売における購入希望額の平均値（以下、「平均購入希望額」という）の推移を示す購入希望額実績情報を出力欄６２０に出力する。
【００４４】
例えば、ある商品又は役務に係るある回の使用契約期間の参加情報が図９（ａ）に示すものであり、当該商品又は役務に係る当該回の使用契約期間の落札情報が図９（ｂ）に示すものであるときは、情報出力部１２０は、当該商品又は役務に係る当該回の平均落札額「７０，０００円」（（７２，０００円＋７０，０００円＋６８，０００円）／３）、参加者数「４（人）」（個人ＩＤ「Ｄ０１１」「Ｄ０１４」「Ｄ０１６」「Ｄ０１９」）、平均購入希望額「６４，０００円」（（５０，０００円＋７２，０００円＋６８，０００円＋６０，０００＋７０，０００）／５）を算出する（同様に各回において平均落札額、参加者数、平均購入希望額を算出する）。
【００４５】
また、情報出力部１２０は、契約期間等実績情報出力ボタン５２８が押下された旨を入力受付部１３０から通知された場合、つまり契約期間等実績情報出力ボタン５２８が押下された場合、画面記憶部１０２から契約期間等実績情報出力画面を読み出して端末４０に出力する。ここで、情報出力撫１２０は、出品物名称を契約期間等実績情報出力画面の出力欄６１２に出力し、契約期間実績情報、長期契約実績情報および継続実績情報を出力欄６２２に出力する。
【００４６】
例えば、情報出力部１２０は、落札情報記憶部１０６に記憶されている過去の使用契約期間の落札情報を参照し、図１０に示すように、当該出品物に係るユーザ（落札者）による平均契約期間（全ユーザの契約期間の合計／全ユーザ数）の推移を示す契約期間実績情報、および、当該出品物に係る長期契約率（長期契約ユーザ数／全ユーザ数）の推移を示す長期契約実績情報、および、当該出品物に係る使用継続率（前々回および前回において契約しているユーザ数（以下、「継続ユーザ数」という）／前々回において契約しているユーザ数）の推移を示す継続実績情報を出力欄６２２に出力する。なお、平均契約期間は長ければ長い程、長期契約率および使用継続率は高ければ高いほど当該出品物に対する満足度が高いことを示す。また、長期契約ユーザの一例は、基準時（例えば前回）において契約しているユーザであって、基準時を含め継続して３月以上契約しているユーザである。
【００４７】
例えば、ある商品又は役務（３回前に販売開始）に係る各回の使用契約期間の落札情報が図１１（ａ）に示すものであるときは、図１１（ｂ）に示すように、全ユーザの契約期間の合計は個人ＩＤ「Ｄ０２０」の１回＋個人ＩＤ「Ｄ０２１」の３回＋個人ＩＤ「Ｄ０２４」の２回＋個人ＩＤ「Ｄ０２５」の３回＋個人ＩＤ「Ｄ０３１」の１回＋個人ＩＤ「Ｄ０３３」の１回＋個人ＩＤ「Ｄ０３５」の１回＋個人ＩＤ「Ｄ０３８」の１回＋個人ＩＤ「Ｄ０３９」の２回＝１５月、全ユーザ数は個人ＩＤ「Ｄ０２０」「Ｄ０２１」「Ｄ０２４」「Ｄ０２５」「Ｄ０３１」「Ｄ０３３」「Ｄ０３５」「Ｄ０３８」「Ｄ０３９」の９人であるから、情報出力部１２０は、当該商品又は役務に係る平均契約期間「１５／９（月／人）」を算出する。
【００４８】
また、例えば、長期契約ユーザを前回において契約しているユーザであって前回を含め継続して３月以上契約しているユーザとする場合、図１１（ｂ）に示すように、長期契約ユーザ数は個人ＩＤ「Ｄ０２１」「Ｄ０２５」の２人であるから、情報出力部１２０は、当該商品又は役務に係る長期契約率「２（人）／９（人）×１００（％）」を算出する。
【００４９】
また、図１１（ｂ）に示すように、継続ユーザ数は個人ＩＤ「Ｄ０２１」「Ｄ０２４」「Ｄ０２５」の３人、前々回において契約しているユーザ数は個人ＩＤ「Ｄ０２１」「Ｄ０２４」「Ｄ０２５」「Ｄ０３１」「Ｄ０３９」の５人であるから、情報出力部１２０は、当該商品又は役務に係る使用継続率「３（人）／５（人）×１００（％）」を算出する。
【００５０】
落札部１４０は、競売期間終了後に、商品又は役務に係る今回の使用契約期間に対する使用料の競売における１以上の落札額および落札者を決定する。具体的には、落札部１４０は、参加情報記憶部１０４に記憶されている当該商品又は役務に係る今回の使用契約期間の参加情報を参照し、希望最低落札額情報記憶部１０８に記憶されている希望最低落札額以上の落札額であって、今回の販売数を上限とする１以上の落札額および落札者を決定する。なお、落札部１４０は、情報出力部１２０と同様の動作によって、今回の販売数を算出（取得）する。
【００５１】
例えば、当該商品又は役務に係る今回の使用契約期間の参加情報が図１２（ａ）に示すものであり、希望最低落札額が図１２（ｂ）に示すものであり、今回の販売数が図１２（ｃ）に示すものであるときは、図１２（ｄ）に示す３組の落札額および落札者を決定する。つまり、落札部１４０は、上位３番目までの高値をつけた落札者（個人ＩＤ「Ｄ０４５」「Ｄ０６０」「Ｄ０５０」）とその高値（個人ＩＤ「Ｄ０４５」の１００，０００円、個人ＩＤ「Ｄ０６０」の８０，０００円、個人ＩＤ「Ｄ０５０」の６８，０００円）の組を決定する（個人ＩＤ「Ｄ０４５」の７８，０００円、個人ＩＤ「Ｄ０６０」の７０，０００円は、同一人による、より高値が決定することにより無視される）。落札部１４０は、落札額および落札者を決定した場合には、当該商品又は役務を識別する出品物ＩＤおよび期間ＩＤに対応付けて、落札額および落札者を識別する個人ＩＤを、落札情報として落札情報記憶部１０６に記憶する。
【００５２】
以下、ネットオークション実施サーバ１０の動作について説明する。図１３は、図２に示すネットオークション実施サーバ１０の動作の一例を示すフローチャートである。図１３に示すフローチャートは、入力受付部１３０が端末４０からアクセスを受け付けることにより開始する。
【００５３】
図１３において、端末４０からアクセスを受け付けた入力受付部１３０は、その旨を情報出力部１２０に通知する。通知を受けた情報出力部１２０は、画面記憶部１０２からメニュー画面を読み出して端末４０に出力する（ステップＳ１００）。なお、情報出力部１２０は、入力受付部１３０がメニュー画面の入力欄４００を介して個人ＩＤの入力を受け付けた場合に、メニュー画面の出力欄４１０に各出品物の競売に関するリンク情報を一覧出力する。
【００５４】
入力受付部１３０は、メニュー画面の出力欄４１０に出力されたリンクが押下された旨を端末４０から受け付ける。端末４０からリンクが押下された旨を受け付けた入力受付部１３０は、その旨を情報出力部１２０に通知する。通知を受けた情報出力部１２０は、画面記憶部１０２から読み出した落札画面の各出力欄に、個人ＩＤ、出品物ＩＤ、出品物名称、期間ＩＤ、出品物の概要説明、ユーザ制限数、今回の販売数、現時点の限界落札希望額、希望最低落札額および競売期間をセットして端末４０に出力する（ステップＳ１０２）。
【００５５】
ステップＳ１０２に続いて、入力受付部１３０は、落札画面の落札額等実績情報出力ボタン５２６の押下があったか否かを判断する（ステップＳ１１０）。落札額等実績情報出力ボタン５２６の押下があったと入力受付部１３０にて判断した場合（ステップＳ１１０：Ｙｅｓ）、その旨を情報出力部１２０に通知する。通知を受けた情報出力部１２０は、画面記憶部１０２から読み出した落札額等実績情報出力画面の出力欄６１０に出品物名称をセットするとともに、出力欄６２０に落札額実績情報、参加実績情報および購入希望額実績情報をセットして端末４０に出力する（ステップＳ１１５）。一方、落札額等実績情報出力ボタン５２６の押下がなかったと入力受付部１３０にて判断した場合（ステップＳ１１０：Ｎｏ）、ステップＳ１１５を飛ばしてステップＳ１２０に進む。
【００５６】
ステップＳ１１０またはステップＳ１１５に続いて、入力受付部１３０は、落札画面の契約期間等実績情報出力ボタン５２８の押下があったか否かを判断する（ステップＳ１２０）。契約期間等実績情報出力ボタン５２８の押下があったと入力受付部１３０にて判断した場合（ステップＳ１２０：Ｙｅｓ）、その旨を情報出力部１２０に通知する。通知を受けた情報出力部１２０は、画面記憶部１０２から読み出した契約期間等実績情報出力画面の出力欄６１２に出品物名称をセットするとともに、出力欄６２２に契約期間実績情報、長期契約実績情報および継続実績情報をセットして端末４０に出力する（ステップＳ１２５）。一方、契約期間等実績情報出力ボタン５２８の押下がなかったと入力受付部１３０にて判断した場合（ステップＳ１２０：Ｎｏ）、ステップＳ１２５を飛ばしてステップＳ１３０に進む。
【００５７】
ステップＳ１２０またはステップＳ１２５に続いて、入力受付部１３０は、落札画面の入力欄５２２を介して限界落札希望額を超える購入希望額の入力があったか否かを判断する（ステップＳ１３０）。限界落札希望額を超える購入希望額の入力があったと入力受付部１３０にて判断した場合（ステップＳ１３０：Ｙｅｓ）、購入希望額および個人ＩＤを、参加情報として参加情報記憶部１０４に記憶する（ステップＳ１４０）。また、入力受付部１３０は、購入希望額を情報出力部１２０に通知する。通知を受けた情報出力部１２０は、新たな限界落札希望額をセット（限界落札希望額を更新）した落札画面を端末４０に出力する（ステップＳ１５０）。一方、限界落札希望額を超える購入希望額の入力がなかったと入力受付部１３０にて判断した場合（ステップＳ１３０：Ｎｏ）、ステップＳ１４０およびステップＳ１５０を飛ばしてステップＳ１６０に進む。
【００５８】
ステップＳ１３０またはステップＳ１５０に続いて、落札部１４０は、競売期間が終了したか否かを判断する（ステップＳ１６０）。競売期間が終了したと落札部１４０にて判断した場合（ステップＳ１６０：Ｙｅｓ）、今回の販売数を上限とする１以上の落札額および落札者を決定する（ステップＳ１７０）。そして、落札部１４０は、決定した落札額および落札者を識別する個人ＩＤを、落札情報として落札情報記憶部１０６に記憶する（ステップＳ１８０）。
【００５９】
次に、希望最低落札額算出部１５０は、ステップＳ１８０にて落札情報記憶部１０６に記憶された落札情報を参照し、次回の競売における希望最低落札額を算出し、希望最低落札額算出部１５０に記憶する（ステップＳ１９０）。そして、本フローチャートは終了する。一方、競売期間が終了していないと落札部１４０にて判断した場合（ステップＳ１６０：Ｎｏ）、ステップＳ１７０からステップＳ１９０を実行することなくステップＳ１１０に戻る。
【００６０】
以上、ネットオークション実施サーバ１０によれば、購入希望者は、ある出品物を購入する際に、当該出品物に係る落札画面上の落札額等実績情報出力ボタン５２６を押下することにより、購入時判断情報として、落札額等実績情報出力画面上で落札額実績情報、参加実績情報および購入希望額実績情報を参照することができるようになる。また、当該出品物に係る落札画面上の契約期間等実績情報出力ボタン５２８を押下することにより、購入時判断情報として、契約期間等実績情報出力画面上で契約期間実績情報、長期契約実績情報および継続実績情報を参照することができるようになる。
【００６１】
そして、落札額実績情報、参加実績情報、購入希望額実績情報、契約期間実績情報、長期契約実績情報および継続実績情報は、参加情報記憶部１０４に記憶された参加情報および落札情報記憶部１０６に記憶された落札情報に基づき出力される購入時判断情報である。すなわち、落札額実績情報、参加実績情報、購入希望額実績情報、契約期間実績情報、長期契約実績情報および継続実績情報は、評価者の他意、評価者の恣意的な要素が紛れ込む可能性を極力排除した客観性、信頼性が十分に高い購入時判断情報である。
【００６２】
従って、購入希望者は、ある出品物を購入する際に、当該出品物の良否および適正価格を適切に判断することができるようになる。例えば、購入時に良否および適正価格を適切に判断することが一般に困難であるものとして知られている出品物（例えば、ＦＸ関連のソフトウェア、サービス）であっても、購入希望者は、ある出品物を購入する際に、当該出品物の良否およびその適正価格を適切に判断することができるようになる。また、当該出品物の良否および適正価格を評価するためのモニタ要員を別途準備する必要もない。
【００６３】
また、ネットオークション実施サーバ１０によれば、ある出品物の希望最低落札額が当該出品物の過去の落札額に基づいて自動的に算出されるようになる。従って、出品者またはオークションの実施者は、月額使用料の競売を毎月実施するような場合に、毎月毎月、希望最低落札額を検討および設定する作業から開放されるようになる。毎月の希望最低落札額を固定の金額としてもよいが、希望最低落札額算出部１５０により過去の落札額から計算して希望最低落札額を決定することにより、購入希望者は、ある出品物を購入する際に、希望最低落札額を参照することによっても、簡便に、当該出品物の良否およびその適正価格を判断することができるようになる。
【００６４】
続いて、本発明の他の実施形態を図面に基づいて説明する。図１４は、他の実施形態によるネットオークション支援サーバ３０を用いたネットオークションシステム２の全体構成例を示す図である。図１４に示すように、ネットオークションシステム２は、ネットオークションを実施するネットオークション実施サーバ２０と、ネットオークション実施サーバ２０によって実施されるネットオークションを支援するネットオークション支援サーバ３０と、ネットワーク５０を介してネットオークション実施サーバ２０に接続する端末４０とから構成される。
【００６５】
ネットオークション実施サーバ２０は、ネットオークション実施サーバ１０と同様、ユーザ数を制限している商品又は役務の使用契約期間の使用料を出品物として競売するネットオークションを実施する。ネットオークション実施サーバ２０によって競売される出品物は、購入時に良否および適正価格を適切に判断することが一般に困難であるものとして知られているものが好適である。
【００６６】
ネットオークション支援サーバ３０は、ネットオークション実施サーバ２０が実施するネットオークションの希望最低落札額を制御するとともに、当該ネットオークションの参加者にネットオークション実施サーバ２０を介して出品物に関する情報を提供する。
【００６７】
図１５は、本実施形態によるネットオークション実施サーバ２０およびネットオークション支援サーバ３０の機能構成例を示すブロック図である。図１５に示すように、ネットオークション実施サーバ２０は、競売基礎情報記憶部２００、画面記憶部２０２、参加情報記憶部２０４、落札情報記憶部２０６、情報出力部２２０、入力受付部２３０、落札部２４０および情報送信部２９０を備える。競売基礎情報記憶部２００、画面記憶部２０２、参加情報記憶部２０４および落札情報記憶部２０６に記憶される情報は、ネットオークション実施サーバ１０の競売基礎情報記憶部１００、画面記憶部１０２、参加情報記憶部１０４および落札情報記憶部１０６に記憶される情報と同様であるので説明を省略する。また、入力受付部２３０は、ネットオークション実施サーバ１０の入力受付部１３０と同様の機能であるので説明を省略する。情報送信部２９０は、参加情報記憶部２０４に記憶されている参加情報をネットオークション支援サーバ３０（後述する情報受信部３９０）に送信する。また、情報送信部２９０は、落札情報記憶部２０６に記憶されている落札情報をネットオークション支援サーバ３０（後述する情報受信部３９０）に送信する。
【００６８】
ネットオークション支援サーバ３０は、参加情報記憶部３０４、落札情報記憶部３０６、希望最低落札額情報記憶部３０８、情報出力部３２０、希望最低落札額算出部３５０および情報受信部３９０を備える。参加情報記憶部３０４、落札情報記憶部３０６および希望最低落札額情報記憶部３０８に記憶される情報は、ネットオークション実施サーバ１０の参加情報記憶部１０４、落札情報記憶部１０６および希望最低落札額情報記憶部１０８に記憶される情報と同様であるので説明を省略する。また、希望最低落札額算出部３５０は、ネットオークション実施サーバ１０の希望最低落札額算出部１５０と同様の機能であるので説明を省略する。情報受信部３９０は、情報送信部２９０から参加情報を受信して参加情報記憶部３０４に記憶する。また、情報受信部３９０は、情報送信部２９０から落札情報を受信して落札情報記憶部３０６に記憶する。
【００６９】
ネットオークション実施サーバ２０の情報出力部２２０は、ネットオークション実施サーバ１０の情報出力部１２０と同様、画面記憶部２０２からメニュー画面を読み出して、各出品物の競売に関する落札画面へのリンク情報を出力欄４１０に一覧出力する。また、ネットオークション実施サーバ２０の情報出力部２２０は、ネットオークション実施サーバ１０の情報出力部１２０と同様、画面記憶部２０２から落札画面を読み出して、個人ＩＤ、出品物ＩＤ、出品物名称、期間ＩＤ、出品物の概要説明、ユーザ制限数、今回の販売数、現時点の限界落札希望額、希望最低落札額および競売期間を各出力欄に出力する。但し、ネットオークション実施サーバ２０の情報出力部２２０は、ネットオークション支援サーバ３０の希望最低落札額情報記憶部３０８に記憶されている希望最低落札額情報を出力欄５１８に出力する。
【００７０】
ネットオークション実施サーバ２０の情報出力部２２０は、ネットオークション実施サーバ１０の情報出力部１２０と同様、画面記憶部２０２から落札額等実績情報出力画面を読み出して、出品物名称を落札額等実績情報出力画面の出力欄６１０に出力し、落札額実績情報、参加実績情報および購入希望額実績情報を出力欄６２０に出力する。但し、ネットオークション実施サーバ２０の情報出力部２２０は、ネットオークション支援サーバ３０の情報出力部３２０に落札額実績情報、参加実績情報および購入希望額実績情報を要求し、ネットオークション支援サーバ３０の情報出力部３２０からこれらの情報を取得して出力欄６２０に出力する。
【００７１】
同様に、ネットオークション実施サーバ２０の情報出力部２２０は、画面記憶部２０２から契約期間等実績情報出力画面を読み出して、出品物名称を契約期間等実績情報出力画面の出力欄６１２に出力し、契約期間実績情報、長期契約実績情報および継続実績情報を出力欄６２２に出力する。但し、ネットオークション実施サーバ２０の情報出力部２２０は、ネットオークション支援サーバ３０の情報出力部３２０に契約期間実績情報、長期契約実績情報および継続実績情報を要求し、ネットオークション支援サーバ３０の情報出力部３２０からこれらの情報を取得して出力欄６２２に出力する。
【００７２】
ネットオークション実施サーバ２０の落札部２４０は、ネットオークション実施サーバ１０の落札部１４０と同様、競売期間終了後に、商品又は役務に係る今回の使用契約期間に対する使用料の競売における１以上の落札額および落札者を決定する。但し、落札部２４０は、ネットオークション支援サーバ３０の希望最低落札額情報記憶部３０８に記憶されている希望最低落札額情報を参照して落札額および落札者を決定する。落札部２４０は、落札額および落札者を決定した場合には、当該商品又は役務を識別する出品物ＩＤおよび期間ＩＤに対応付けて、落札額および落札者を識別する個人ＩＤを、落札情報として落札情報記憶部２０６に記憶する。
【００７３】
ネットオークション支援サーバ３０の情報出力部３２０は、ネットオークション実施サーバ２０の情報出力部２２０から落札額実績情報、参加実績情報および購入希望額実績情報を要求された場合に、これらの情報をネットオークション実施サーバ２０の情報出力部２２０に出力する。ネットオークション支援サーバ３０の情報出力部３２０が、落札額実績情報、参加実績情報および購入希望額実績情報を出力する動作は、ネットオークション実施サーバ１０の情報出力部１２０と同様である。但し、ネットオークション支援サーバ３０の情報出力部３２０は、落札情報記憶部３０６または参加情報記憶部３０４を参照して落札額実績情報、参加実績情報および購入希望額実績情報を出力する。
【００７４】
ネットオークション支援サーバ３０の情報出力部３２０は、ネットオークション実施サーバ２０の情報出力部２２０から契約期間実績情報、長期契約実績情報および継続実績情報を要求された場合に、これらの情報をネットオークション実施サーバ２０の情報出力部２２０に出力する。ネットオークション支援サーバ３０の情報出力部３２０が、契約期間実績情報、長期契約実績情報および継続実績情報を出力する動作は、ネットオークション実施サーバ１０の情報出力部１２０と同様である。但し、ネットオークション支援サーバ３０の情報出力部３２０は、落札情報記憶部３０６を参照して契約期間実績情報、長期契約実績情報および継続実績情報を出力する。
【００７５】
以上、ネットオークション支援サーバ３０によれば、購入希望者は、ネットオークション実施サーバ１０と同様、ある出品物を購入する際に、購入時判断情報として、落札額実績情報、参加実績情報、購入希望額実績情報、契約期間実績情報、長期契約実績情報および継続実績情報を参照することができるようになる。また、ある出品物の希望最低落札額が当該出品物の過去の落札額に基づいて自動的に算出されるようになる。従って、ネットオークション実施サーバ１０と同様の効果を得ることができる。
【００７６】
なお、上記実施形態において、ネットオークション実施サーバ１０は、６種類の購入時判断情報（落札額実績情報、参加実績情報、購入希望額実績情報、契約期間実績情報、長期契約実績情報および継続実績情報）を出力する態様であったが、少なくとも１つの購入時判断情報（例えば、落札額実績情報のみ）を出力する態様であってもよい。但し、購入希望者に出品物の良否および適正価格をより適切に判断させるべく複数の購入時判断情報が出力可能であることが好ましい。ネットオークション支援サーバ３０が出力する購入時判断情報についても同様である。
【００７７】
また、上記実施形態において、ネットオークション実施サーバ１０が落札額実績情報を出力する態様は、当該出品物の過去の各競売における平均落札額の推移を出力する態様であったが、これに限定されない。一例として、ネットオークション実施サーバ１０は、平均落札額の推移に代えて、当該出品物の過去の各競売における落札額の中央値（ｍｅｄｉａｎ。以下、「中央落札額」という）の推移、落札額の最大値（以下、「最大落札額」という）の推移、または、落札額の最小値（以下、「最小落札額」という）の推移を出力する態様であってもよい。また、平均落札額、中央落札額、最大落札額、最小落札額の推移のうち何れか２つ以上を同時に出力する態様であってもよい。購入希望額実績情報についても同様である。ネットオークション支援サーバ３０が出力する落札額実績情報および購入希望額実績情報についても同様である。
【００７８】
また、上記実施形態において、ネットオークション実施サーバ１０が落札額実績情報を出力する態様は、平均落札額の推移を折れ線グラフにより表現する態様であったが、これに限定されない。一例として、ネットオークション実施サーバ１０は、他の表現形式のグラフ（例えば棒グラフ）により表現する態様としてもよいし、過去の各競売における平均落札額（または中央落札額、最大落札額、最小落札額）を表により表現する態様としてもよい。また、過去の各競売における平均落札額（または中央落札額、最大落札額、最小落札額）の推移に代えて、過去の各落札額の平均落札額（または中央落札額、最大落札額、最小落札額）の集計値（平均値）を出力する態様であってもよい。購入希望額実績情報についても同様である。ネットオークション支援サーバ３０が出力する落札額実績情報および購入希望額実績情報についても同様である。但し、推移の方が、出品物の人気が高まっているかどうかが分かる点で好ましい（他の参加実績情報等についても同様である）。
【００７９】
また、上記実施形態において、ネットオークション実施サーバ１０が参加実績情報を出力する態様は、参加者数の推移を出力する態様であったが、これに限定されない。一例として、ネットオークション実施サーバ１０は、参加者数の推移に代えて、参加倍率（ユーザ総数に対する参加者数の倍率）の推移を出力する態様であってもよい。また、参加者数の推移と参加倍率の推移とを同時に出力する態様であってもよい。ネットオークション支援サーバ３０が出力する参加実績情報についても同様である。
【００８０】
また、上記実施形態において、ネットオークション実施サーバ１０が参加実績情報を出力する態様は、参加者数の推移を折れ線グラフにより表現する態様であったが、他の表現形式のグラフにより表現する態様としてもよいし、過去の各参加者数（または参加倍率）を表により表現する態様としてもよい。また、過去の各競売における参加者数（または参加倍率）の推移に代えて、過去の各競売における参加者数（または参加倍率）の集計値（平均値）を出力する態様であってもよい。ネットオークション支援サーバ３０が出力する参加実績情報についても同様である。
【００８１】
また、上記実施形態において、ネットオークション実施サーバ１０が契約期間実績情報を出力する態様は、当該出品物の平均契約期間の推移を出力する態様であったが、これに限定されない。一例として、ネットオークション実施サーバ１０は、平均契約期間の推移に代えて、契約期間の中央値（以下、「中央契約期間」という）の推移を出力する態様であってもよい。また、平均契約期間の推移と中央契約期間の推移とを同時に出力する態様であってもよい。ネットオークション支援サーバ３０が出力する契約期間実績情報についても同様である。
【００８２】
また、上記実施形態において、ネットオークション実施サーバ１０が契約期間実績情報を出力する態様は、平均契約期間の推移を折れ線グラフにより表現する態様であったが、他の表現形式のグラフにより表現する態様としてもよいし、過去の各競売における平均契約期間（または中央契約期間）を表により表現する態様としてもよい。また、過去の各競売における平均契約期間（または中央契約期間）の推移に代えて、過去の各競売における平均契約期間（または中央契約期間）の集計値（平均値）を出力する態様であってもよい。ネットオークション支援サーバ３０が出力する契約期間実績情報についても同様である。
【００８３】
また、上記実施形態において、ネットオークション実施サーバ１０が長期契約実績情報を出力する態様は、長期契約者率（ユーザ総数に占める長期契約ユーザ数の割合）の推移を出力する態様であったが、これに限定されない。一例として、ネットオークション実施サーバ１０は、長期契約者率の推移に代えて、長期契約者数の推移を出力する態様であってもよい。また、長期契約者率の推移と長期契約者数の推移とを同時に出力する態様であってもよい。ネットオークション支援サーバ３０が出力する長期契約実績情報についても同様である。
【００８４】
また、上記実施形態において、ネットオークション実施サーバ１０が長期契約実績情報を出力する態様は、長期契約者率の推移を折れ線グラフにより表現する態様であったが、他の表現形式のグラフにより表現する態様としてもよいし、過去の長期契約者率（または長期契約者数）を表により表現する態様としてもよい。また、過去の各競売における長期契約者率（または長期契約者数）の推移に代えて、過去の各競売における長期契約者率（または長期契約者数）の集計値（平均値）を出力する態様であってもよい。ネットオークション支援サーバ３０が出力する長期契約実績情報についても同様である。
【００８５】
また、上記実施形態において、ネットオークション実施サーバ１０が継続実績情報を出力する態様は、使用継続率の推移を出力する態様であったが、これに限定されない。一例として、ネットオークション実施サーバ１０は、使用継続率の推移に代えて、継続ユーザ数の推移を出力する態様であってもよい。また、使用継続率の推移と継続ユーザ数の推移とを同時に出力する態様であってもよい。ネットオークション支援サーバ３０が出力する継続実績情報についても同様である。
【００８６】
また、上記実施形態において、ネットオークション実施サーバ１０が継続実績情報を出力する態様は、使用継続率の推移を折れ線グラフにより表現する態様であったが、他の表現形式のグラフにより表現する態様としてもよいし、過去の使用継続率（または継続ユーザ数）を表により表現する態様としてもよい。また、過去の各競売における使用継続率（または継続ユーザ数）の推移に代えて、過去の各競売における使用継続率（または継続ユーザ数）の集計値（平均値）を出力する態様であってもよい。ネットオークション支援サーバ３０が出力する継続実績情報についても同様である。
【００８７】
また、上記実施形態において、ネットオークション実施サーバ１０は、出品物単位で購入時判断情報を出力する態様であったが、複数の出品物の購入時判断情報を同一の画面に出力する態様としてもよい。例えば、ネットオークション実施サーバ１０は、自動ＦＸサービス甲を識別する出品物ＩＤおよび自動ＦＸサービス乙を識別する出品物ＩＤを含む落札額等実績情報出力画面の出力要求を端末４０から受け付けることにより、自動ＦＸサービス甲の平均落札額の推移、参加者数の推移、平均購入希望額と自動ＦＸサービス乙の平均落札額の推移、参加者数の推移、平均購入希望額を同一の落札額等実績情報画面に出力してもよい（契約期間実績情報、長期契約実績情報および継続実績情報についても同様である）。
【００８８】
また、上記実施形態において、ネットオークション実施サーバ１０が実施するネットオークションにおいては、使用契約期間が出品者側によって予め設定されている（例えば、自動ＦＸサービス甲の２００８年２月分の使用料、２００８年３月分の使用料というように使用契約期間が１ヶ月単位と設定されている）が、参加者が使用契約期間を設定（選択）してもよい。参加者が使用契約期間を設定（選択）する場合には、落札画面に購入を希望する使用契約期間を入力（選択）する欄を設ける。
【００８９】
また、上記実施形態において、ネットオークション実施サーバ１０は、競売期間中に同一の参加者から何回でも購入希望額を受け付ける形式（せり売形式）のネットオークションを実施するが、競売期間中に同一の参加者から購入希望額を受け付ける回数が１回である形式（入札形式）のネットオークションを実施してもよい。ネットオークション実施サーバ１０が入札形式のネットオークションを実施する場合には、落札画面に限界落札希望額を出力する出力欄５１６を設けない。
【００９０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００９１】
【図１】本実施形態によるネットオークション実施サーバを用いたネットオークションシステムの全体構成例を示す図である。
【図２】本実施形態によるネットオークション実施サーバの機能構成例を示すブロック図である。
【図３】競売基礎情報記憶部に記憶されている情報の一例を示す図である。
【図４】メニュー画面、落札額等実績情報画面、契約期間等実績情報画面の一例を示す図である。
【図５】落札画面の一例を示す図である。
【図６】参加情報記憶部および落札情報記憶部に記憶されている情報の一例を示す図である。
【図７】希望最低落札額情報記憶部に記憶されている情報の一例を示す図である。
【図８】落札額等実績情報画面の一例を示す図である。
【図９】落札額実績情報、参加実績情報、購入希望額実績情報を算出する動作を説明するための図である。
【図１０】契約期間等実績情報画面の一例を示す図である。
【図１１】契約期間実績情報、長期契約実績情報、継続実績情報を算出する動作を説明するための図である。
【図１２】落札部による落札額、落札者を決定する動作を説明するための図である。
【図１３】図２に示すネットオークション実施サーバの動作の一例を示すフローチャートである。
【図１４】他の実施形態によるネットオークション支援サーバを用いたネットオークションシステムの全体構成例を示す図である。
【図１５】本実施形態によるネットオークション実施サーバおよびネットオークション支援サーバの機能構成例を示すブロック図である。
【符号の説明】
【００９２】
１  ネットオークションシステム、２  ネットオークションシステム、１０  ネットオークション実施サーバ、２０  ネットオークション実施サーバ、３０  ネットオークション支援サーバ、４０  端末、５０  ネットワーク、１００  競売基礎情報記憶部、１０２  画面記憶部、１０４  参加情報記憶部、１０６  落札情報記憶部、１０８  希望最低落札額情報記憶部、１２０  情報出力部、１３０  入力受付部、１４０  落札部、１５０  希望最低落札額算出部、３０４  参加情報記憶部、３０６  落札情報記憶部、３０８  希望最低落札額情報記憶部、３２０  情報出力部、３５０  希望最低落札額算出部、３９０  情報受信部
【図１】
2009211380.tif 000003
【図２】
2009211380.tif 000004
【図３】
2009211380.tif 000005
【図４】
2009211380.tif 000006
【図５】
2009211380.tif 000007
【図６】
2009211380.tif 000008
【図７】
2009211380.tif 000009
【図８】
2009211380.tif 000010
【図９】
2009211380.tif 000011
【図１０】
2009211380.tif 000012
【図１１】
2009211380.tif 000013
【図１２】
2009211380.tif 000014
【図１３】
2009211380.tif 000015
【図１４】
2009211380.tif 000016
【図１５】
2009211380.tif 000017